(57)【要約】      （修正有）【課題】酸素マスク使用中に、耳介部と頭部の上部接点の皮膚損傷、顔面部及び後頭部への圧迫感など装着者の苦痛の軽減を図るとともに、酸素マスク着脱について大いなる利便性を有しつつ、必要な酸素量を提供する。【解決手段】酸素マスクの固定用連結材にリング状体を備え、リング状体を両方の耳介部にかける。リング状体は、直径４ｍｍ以上の、願わくは筒状の中空体のゴム製部材を使用し、願わくは筒状中空ゴム製部材の中に芯としての線材である針金を通し、装着者の耳介部の形状に容易に適合することができるようにする。酸素マスク本体とリング状体は、願わくはゴム製若しくはゴム紐製固定用連結材で接続する。【選択図】図１
0003142123.tif 000002
【実用新案登録請求の範囲】
【請求項１】
酸素マスク本体と、固定用連結材を備えた酸素マスクにおいて、弾力性のある直径４ｍｍ以上の素材を使用したリング状体を前記固定用連結材に連結させたことを特徴とする酸素マスク。
【請求項２】
前記リング状体を筒状にしたことを特徴とする請求項１記載の酸素マスク。
【請求項３】
前記筒状リング状体の中に、線材を挿入したことを特徴とする請求項２記載の酸素マスク。
【請求項４】
前記筒状リング状体がゴム製であることを特徴とする請求項２又は請求項３記載の酸素マスク。
【請求項５】
前記線材が針金であることを特徴とする請求項３又は請求項４記載の酸素マスク。
【請求項６】
前記固定用連結材がゴム製であることを特徴とする請求項１乃至請求項５記載の酸素マスク。
【請求項７】
前記固定用連結材がゴム紐であることを特徴とする請求項１乃至請求項６記載の酸素マスク。
【請求項８】
前記酸素マスク本体、前記固定用連結材及び前記リング状体の全てにおいて若しくは一部において、洗浄・消毒・滅菌可能な素材を使用したことを特徴とする請求項１乃至請求項７記載の酸素マスク。
【考案の詳細な説明】
【技術分野】
【０００１】
本考案は、皮膚損傷、圧迫感などの装着者の苦痛が軽減できる酸素マスクに関するものである。
【背景技術】
【０００２】
従来の酸素マスクは、両端に各一箇所固定用連結材挿入孔（８）が開いており、前記挿入孔（８）に固定用連結材（３）を通して、装着者の後頭部に固定用連結材（３）をまわして装着している。
【０００３】
この場合、装着者に酸素が適切に供給できるよう酸素マスク本体（１）を固定するために、固定用連結材（３）を後頭部にまわす位置は、装着者の耳介部と頭部の上部接点（４）に接していることが望ましい。なぜならば、耳介部と頭部の上部接点（４）に固定用連結材（３）が接していなければ、酸素マスク本体（１）が装着者の頬顎部と適切に固定できなくなる。そのため、酸素マスク本体（１）から酸素が漏れることになり、装着者に十分な酸素が供給できなくなるからである。
【０００４】
以下、図８により従来の酸素マスクについて説明する。図８において、〈ａ〉は従来の酸素マスク装着時の正面図、〈ｂ〉は従来の酸素マスク装着時の側面図である。図８において、（１）は酸素マスク本体を、（３）は固定用連結材を、（４）は耳介部と頭部の上部接点を、（８）は固定用連結材挿入孔を示している。
【０００５】
【特許文献１】特開２００３−１９９８３０号公報
【非特許文献１】徳永恵子著、「最新  褥瘡ケア・マニュアル  改訂版」医学芸術社出版、平成16年6月10日発行、Ｐ22、Ｐ43
【非特許文献２】高木映子著、「看護過程に沿った対象看護〜病態生理と看護のポイント〜」学習研究社出版、平成7年3月30日発行、Ｐ447
【考案の開示】
【考案が解決しようとする課題】
【０００６】
従来の酸素マスクの固定用連結材は、固定用連結材を後頭部に通して固定されているため、以下に述べるような問題点があった。すなわち、第一に、耳介部と頭部の上部接点の一点にかかる固定用連結材の圧力や固定用連結材のズレによる摩擦力などにより、装着者の耳介部と頭部の上部接点に損傷を形成するという問題点があった。第二に、装着者は、酸素マスク本体及び固定用連結材から、顔面部及び後頭部に圧迫感を受けるという問題点があった。第三に、酸素マスク装着中に、酸素供給とは別の処置（例えば、痰などの口鼻腔内分泌物の除去処置、薬剤の投与など）を行おうとする場合には、折角、装着した酸素マスクを一旦取り除かなければならないというような酸素マスク着脱作業が必要であった。
【課題を解決するための手段】
【０００７】
上記課題を解決するために、請求項１に記載の本考案は、前記リング状体に固定用連結材より弾力性が高く、柔らかく、皮膚に刺激の少ない直径４ｍｍ以上の素材を使用することを特徴とする。
【０００８】
請求項２に記載の本考案は、前記リング状体を筒状にしたことを特徴とする。
【０００９】
請求項３に記載の本考案は、前記筒状のリング状体の中に、芯となる線材を挿入したことを特徴とする。
【００１０】
請求項４に記載の本考案は、前記筒状のリング状体がゴム製であることを特徴とする。
【００１１】
請求項５に記載の本考案は、前記筒状のリング状体に芯となる線材が針金であることを特徴とする。
【００１２】
請求項６に記載の本考案は、前記固定用連結材がゴム製であることを特徴とする。
【００１３】
請求項７に記載の本考案は、前記固定用連結材がゴム紐であることを特徴とする。
【００１４】
請求項８に記載の本考案は、構成部材である前記酸素マスク本体、前記固定用連結材及び前記リング状体の全て若しくは一部が、洗浄・消毒・滅菌可能な素材であることを特徴とする。
【考案の効果】
【００１５】
以上説明したように本考案の酸素マスクは、酸素マスク装着中の装着者の耳介部と頭部の上部接点の一点に集中する圧力の分散が可能となり、さらに、耳介部は、ズレの生じないリング状体と常に接しているため、固定用連結材のズレによる摩擦を防ぐことが可能となり、従来の酸素マスク装着中に出現しやすい耳介部と頭部の上部接点の皮膚損傷を防ぐことができる。
【００１６】
また、装着者の後頭部へ固定用連結材をまわす不便さを取り除き、装着者の耳介部にリング状体をかけ、リング状体と酸素マスク本体との連結材に調節の可能なゴム、ゴム紐などの素材を使用することで、装着者の耳介部、頬顎部の形状に合わせて酸素マスクを装着することが可能となり、酸素マスク装着中の圧迫感を軽減することができる。
【００１７】
さらに、装着者の後頭部へ固定用連結材を回すことなく、装着者の耳介部にリング状体をかける構造のため、酸素マスク装着中に、酸素供給とは別の処置を行おうとする場合でも、装着した酸素マスクを一旦取り除かなければならないという酸素マスク着脱作業は不要であるというような利便性に富む。
【００１８】
その上、本考案に係る酸素マスクの構成部材の全てにおいて若しくは一部において、洗浄・消毒・滅菌可能な素材を使用することにより、繰り返し使用する事ができるという効果もある。
【考案を実施するための最良の形態】
【００１９】
以下、本考案の酸素マスク装着の実施形態について図面を用いて説明する。
【００２０】
図１は本考案の酸素マスクを装着した状態を示す斜視図、図２は同じく左側面図である。図１、２において、酸素マスク本体の左右一点ずつに固定用連結材挿入孔（８）を備え、酸素マスク本体（１）とリング状体（２）が固定用連結材（３）で連結されており、リング状体（２）を装着者耳介部にかけることで、酸素マスク本体（１）が装着者の鼻と口を完全に覆い固定して装着することができる。
【００２１】
図３は本考案のリング状体と装着者耳介部の接触部分の正面拡大図、図４は同じく背面拡大図である。図3、４においてリング状体（２）は装着者の耳介部と頭部の上部接点（４）の一点への圧力を分散させている。耳介部と頭部の上部接点（４）一点への圧力を分散させるためには、リング状体（２）は直径約４ｍｍ以上１２ｍｍ以下の素材である必要がある。直径４ｍｍ未満では耳介部の接触部一点への圧力を分散させることができず、リング状体（２）と接触する耳介部で皮膚損傷を発生させるため、本考案には適していない。１２ｍｍを超えれば耳介部にかけにくく、外れやすくなるため、酸素マスク本体（１）を確実に固定できないため、本考案に適していない。
【００２２】
前述の内容について、実証実験を行った。すなわち、従来の酸素マスクを使用することで耳介部と頭部の上部接点に損傷を形成した装着者に対して、本考案の酸素マスクと同じ形態であるが、リング状体のみ直径３ｍｍである本考案外の酸素マスクを装着させたところ、リング状体の直径が細いため、耳介部と頭部の上部接点にくい込みやすくなり、圧力やズレによる摩擦力などが生じることにより、耳介部と頭部の上部接点の損傷について改善はみられなかった。このことより、リング状体の直径は４ｍｍ以上でなければならないことが分かった。
【００２３】
リング状体（２）の直径は、装着者の耳介部の接触部一点への圧力を分散させるため、９ｍｍが最適である。９ｍｍであれば、リング状体（２）と耳介部の接触部一点に圧力が集中するのを防ぎ、皮膚損傷を防止することができる。
【００２４】
前述の内容について、実証実験を行った。すなわち、従来の酸素マスクを使用することで耳介部と頭部の上部接点に損傷を形成した装着者（患者）３名に対して、本考案の酸素マスク（リング状体直径９ｍｍ）を使用したところ、酸素マスク装着中の装着者の耳介部と頭部の上部接点の一点に集中する圧力の分散が可能となり、耳介部はズレの生じないリング状体と常に接しているため、耳介部と頭部の上部接点の皮膚損傷を防ぐことができた。さらに、上記装着者（患者）３名に関わらず、本考案の酸素マスクを継続使用した全ての装着者（患者）において、耳介部と頭部の上部接点に損傷は皆無であった。
【００２５】
リング状体（２）は、ゴム製、紐製、布製、革製、プラスチック製などの素材を用いることができる。その中でも特に、装着者の耳介部との摩擦を防ぐため、ゴム製であることが望ましい。
【００２６】
また、リング状体（２）は、充実体、中空体に関わらず用いることができる。その中でも特に、リング状体自体を一層柔らかくするために、中空体である筒状にすることが望ましい。
【００２７】
図５は本考案のリング状体の断面図である。リング状体（２）と装着者の耳介部の接触部一点に圧力が集中することを、なお一層防ぐために、筒状のリング状体の中心に、装着者の耳介部の形状に合わせて固定することができるように、芯となる線材（６）を通すことが望ましい。
【００２８】
中空体である筒状のリング状体（２）の中に通す線材（６）は、鉄・銅・アルミニウムなどの金属製、プラスチック製、革製などの素材を用いることができる。その中でも特に、経済的で、耳介部の形状に合わせやすく、形状が保持しやすい針金であることが望ましい。
【００２９】
いずれの場合でも、リング状体（２）は真円となる必要はなく、芯となる線材（６）を通すことで装着者の耳介部の大きさに合わせた形状を維持することが可能となることにより、装着者の耳介部とリング状体（２）は、より一層ズレが生じることなく固定され、摩擦の心配がなくなる。
【００３０】
また、リング状体（２）に芯である線材（６）を通さない場合は、リング状体（２）を特にゴム製品で作製しているため、リング状体自体が伸縮可能となることで、装着者の耳介部の形状に適合しやすくなり、装着者の耳介部とリング状体（２）は固定され摩擦の心配がなくなる。
【００３１】
リング状体（２）の芯となる線材（６）である針金は、固すぎると装着者の体動により、針金の先端又は一部が突出し、他の部位を圧迫する危険性があるため、手で容易に屈曲・伸展できる程度の固さで、直径は１．５〜２ｍｍ程度が望ましい。
【００３２】
前述の内容について、実証実験を行った。すなわち、リング状体の芯となる線材に直径３ｍｍの手で容易に屈曲・伸展する事が困難な硬い針金を使用したところ、針金の一部がリング状体より突出し、装着者の耳介部の一部を圧迫してしまう現象が起こった。このことより、リング状体の芯となる線材である針金の直径は３ｍｍ未満でなければならないことが分かった。
【００３３】
また、リング状体（２）の芯となる線材（６）である針金は直径１ｍｍ以下では細すぎて、リング状体の芯となる役割を果たせなかった。このことより、リング状体の芯となる線材である針金の直径は１mm超でなければならないことが分かった。
【００３４】
図６は本考案のリング状体の拡大図である。必要により芯となる線材（６）を通した後、リングの一端と他端をテープ（５）、接着材（７）などで接続させてリング状体（２）を形成する。図６〈ａ〉はリングの一端と他端をテープ（５）で接続させてリング状体（２）を形成した例であり、図６〈ｂ〉はリングの一端と他端を接着材（７）で接続させてリング状体（２）を形成した例である。
【００３５】
図７は本考案の酸素マスク本体とリング状体の連結部の拡大図である。酸素マスク本体（１）とリング状体（２）の固定用連結材（３）は、装着者の頬顎部の形状に合わせるため、調節可能な素材を使用する。より調節可能にするために、ゴム製固定用連結材、ゴム紐製固定用連結材などを使用することが望ましい。
【００３６】
図７において、酸素マスク本体（１）とリング状体（２）の連結部は、酸素マスク本体が確実に装着者の鼻と口を覆うことができ、頬顎部に固定することができるように、酸素マスク本体（１）に左右各１カ所固定用連結材挿入孔（８）を開けて、ゴム製、ゴム紐製などの固定用連結材（３）を挿入し、固定用連結材（３）は二重にして接続部を備え、酸素マスク本体（１）とリング状体（２）を連結することが望ましい。このことにより、酸素マスク本体（１）を装着者の頬顎部に適切に固定することができるように、酸素マスク本体（１）とリング状体（２）の距離を、容易に調整することができる。
【００３７】
図７のように酸素マスク本体（１）とリング状体（２）の連結は、酸素マスク本体（１）に１カ所固定用連結材挿入孔（８）を開けて固定用連結材（３）を通して行うが、左右各１カ所以上固定用連結材挿入孔（８）を開けてそれらを連結すると、装着者の頬骨部において固定用連結材（３）により頬が圧迫されるため、固定用連結材挿入孔（８）は左右各１カ所が望ましい。
【産業上の利用可能性】
【００３８】
以上において説明した本考案は、本考案が属する技術の分野における通常の知識を有する者であれば、本考案の技術的思想を逸脱しない範囲内で、様々な置換、変形及び変更が可能であるので、上述した実施形態及び添付された図面に限定されるものではない。
【図面の簡単な説明】
【００３９】
【図１】本考案の酸素マスクを装着した状態を示す斜視図
【図２】本考案の酸素マスクを装着した状態を示す左側面図
【図３】本考案のリング状体と装着者耳介部の接触部分の正面拡大図
【図４】本考案のリング状体と装着者耳介部の接触部分の背面拡大図
【図５】本考案のリング状体の断面図
【図６】本考案のリング状体の拡大図
【図７】本考案の酸素マスク本体とリング状体の連結部の拡大図
【図８】従来の酸素マスクの一般例
【符号の説明】
【００４０】
１  酸素マスク本体
２  リング状体
３  固定用連結材
４  耳介部と頭部の上部接点
５  テープ
６  線材
７  接着材
８  固定用連結材挿入孔
【図１】
0003142123.tif 000003
【図２】
0003142123.tif 000004
【図３】
0003142123.tif 000005
【図４】
0003142123.tif 000006
【図５】
0003142123.tif 000007
【図６】
0003142123.tif 000008
【図７】
0003142123.tif 000009
【図８】
0003142123.tif 000010